(57)【要約】【課題】インターネットＶＰＮを用いたネットワークシステムに於て、インターネット回線のダウンによるトラブルを回避し、ネットワークの信頼性を向上させる。【解決手段】本発明は、サーバ２と、少なくとも１つのコンピュータ３Ａ，３Ｂ…とが夫々ファイアーウォール４，５Ａ，５Ｂ…を介してＡＤＳＬ回線６Ａ，６Ｂ，６Ｃ…に接続され、該サーバ２と該コンピュータ３Ａ，３Ｂ…とが該ＡＤＳＬ回線６Ａ，６Ｂ，６Ｃ…を介してインターネットＶＰＮ７によって通信自在に接続されるインターネットＶＰＮを用いたネットワークシステム８に於て、前記サーバ２に接続されるＡＤＳＬ回線６Ａに他の異なるＡＤＳＬ回線９Ａを加えて回線を二重化し、二重化した該ＡＤＳＬ回線６Ａ、９Ａと前記サーバ２間にルータ１０を介装し、該ルータ１０と該異なるＡＤＳＬ回線９Ａ間にファイアーウォール１１を設けたインターネットＶＰＮを用いたネットワークシステムを提供する。【選択図】  図１
2004356885.tif 000002
【特許請求の範囲】
【請求項１】
サーバと、少なくとも１つのコンピュータとが夫々ファイアーウォールを介してＡＤＳＬ回線に接続され、該サーバと該コンピュータとが該ＡＤＳＬ回線を介してインターネットＶＰＮによって通信自在に接続されるインターネットＶＰＮを用いたネットワークシステムに於て、前記サーバに接続されるＡＤＳＬ回線に他の異なるＡＤＳＬ回線を加えて回線を二重化し、二重化した該ＡＤＳＬ回線と前記サーバ間にルータを介装し、該ルータと該異なるＡＤＳＬ回線間にファイアーウォールを設けたことを特徴とするインターネットＶＰＮを用いたネットワークシステム。
【請求項２】
サーバと、少なくとも１つのコンピュータとが夫々ファイアーウォールを介してＡＤＳＬ回線に接続され、該サーバと該コンピュータとが該ＡＤＳＬ回線を介してインターネットＶＰＮによって通信自在に接続されるインターネットＶＰＮを用いたネットワークシステムに於て、少なくとも１つの前記コンピュータに接続されるＡＤＳＬ回線に他の異なるＡＤＳＬ回線を加えて回線を二重化し、二重化した該ＡＤＳＬ回線と前記コンピュータ間にルータを介装し、該ルータと該異なるＡＤＳＬ回線間にファイアーウォールを設けたことを特徴とするインターネットＶＰＮを用いたネットワークシステム。
【請求項３】
サーバと、少なくとも１つのコンピュータとが夫々ファイアーウォールを介してＡＤＳＬ回線に接続され、該サーバと該コンピュータとが該ＡＤＳＬ回線を介してインターネットＶＰＮによって通信自在に接続されるインターネットＶＰＮを用いたネットワークシステムに於て、前記サーバに接続されるＡＤＳＬ回線に他の異なるＡＤＳＬ回線を加えて回線を二重化し、二重化した該ＡＤＳＬ回線と前記サーバ間にルータを介装し、該ルータと該異なるＡＤＳＬ回線間にファイアーウォールを設けると共に、少なくとも１つの前記コンピュータに接続されるＡＤＳＬ回線に他の異なるＡＤＳＬ回線を加えて回線を二重化し、二重化した該ＡＤＳＬ回線と前記コンピュータ間にルータを介装し、該ルータと該異なるＡＤＳＬ回線間にファイアーウォールを設けたことを特徴とするインターネットＶＰＮを用いたネットワークシステム。
【発明の詳細な説明】
【０００１】
【発明の属する技術分野】
この発明は、インターネットＶＰＮ（Ｖｉｒｔｕａｌ  Ｐｒｉｖａｔｅ  Ｎｅｔｗｏｒｋ）を用いたネットワークシステムに関するものであり、特に、インターネットＶＰＮのデメリットである回線ダウンによるネットワークの信頼性の向上を図ったインターネットＶＰＮを用いたネットワークシステムに関するものである。
【０００２】
【従来の技術および発明が解決しようとする課題】
従来の此種インターネットＶＰＮを用いたネットワークシステムを図３に従って説明する。図に於て、１はインターネットＶＰＮを用いたネットワークシステムであり、該ネットワークシステム１は本社に設置されたサーバ２と、複数の拠点Ａ，Ｂ…に夫々設置されたコンピュータ３Ａ，３Ｂ…とが夫々ファイアーウォール４，５Ａ，５Ｂ…に接続されると共に、該ファイアーウォール４，５Ａ，５Ｂ…が夫々インターネット回線であるＡ社のＡＤＳＬ（Ａｓｙｍｍｅｔｒｉｃ  Ｄｉｇｉｔａｌ  Ｓｕｂｓｃｒｉｂｅｒ  Ｌｉｎｅ）回線６Ａ，６Ｂ，６Ｃ…に接続され、前記サーバ２と前記コンピュータ３Ａ，３Ｂ…とが該ＡＤＳＬ回線６Ａ，６Ｂ，６Ｃ…を介してインターネットＶＰＮ７によって相互に接続自在に構成されている。
【０００３】
而して、前記サーバ２と前記コンピュータ３Ａ，３Ｂ…とは相互に通信可能であると共に、前記インターネットＶＰＮ７によって、通信データはカプセル化され、且つ、暗号化され、更に、前記ファイアーウォール４，５Ａ，５Ｂ…によってパケット監視されることによってセキュリティが高められている。
【０００４】
又、此種インターネットＶＰＮを用いたネットワークシステムは例えば特許文献１にも開示されている。該特許文献１に示されるネットワークシステムはホストコンピュータ同士がＶＰＮ装置を介しインターネット回線によって接続されている。
【０００５】
然しながら、前述のインターネットＶＰＮを用いたネットワークシステムは、例えば、メンテナンス、事故等によって前記インターネット回線がダウンする虞があり、これによってネットワークの信頼性が低下する問題がある。
【０００６】
そこで、インターネットＶＰＮを用いたネットワークシステムに於て、インターネット回線のダウンによるトラブルを回避し、ネットワークの信頼性を向上させるために解決すべき技術的課題が生じてくるのであり、本発明はこの課題を解決することを目的とする。
【０００７】
【特許文献１】
特開２００３−３２２８６号公報  （第４頁、第１図）
【０００８】
【課題を解決するための手段】
本発明は上記目的を達成するために提案されたものであり、請求項１記載の発明は、サーバと、少なくとも１つのコンピュータとが夫々ファイアーウォールを介してＡＤＳＬ回線に接続され、該サーバと該コンピュータとが該ＡＤＳＬ回線を介してインターネットＶＰＮによって通信自在に接続されるインターネットＶＰＮを用いたネットワークシステムに於て、前記サーバに接続されるＡＤＳＬ回線に他の異なるＡＤＳＬ回線を加えて回線を二重化し、二重化した該ＡＤＳＬ回線と前記サーバ間にルータを介装し、該ルータと該異なるＡＤＳＬ回線間にファイアーウォールを設けたことを特徴とするインターネットＶＰＮを用いたネットワークシステムである。
【０００９】
この請求項１記載の発明によれば、前記サーバに接続されるメイン回線となるＡＤＳＬ回線がダウンした時、前記ルータによってサブ回線となる他の異なるＡＤＳＬ回線に切替えて該サーバに関するネットワークの信頼性を向上させることが可能となる。
【００１０】
又、請求項２記載の発明は、サーバと、少なくとも１つのコンピュータとが夫々ファイアーウォールを介してＡＤＳＬ回線に接続され、該サーバと該コンピュータとが該ＡＤＳＬ回線を介してインターネットＶＰＮによって通信自在に接続されるインターネットＶＰＮを用いたネットワークシステムに於て、少なくとも１つの前記コンピュータに接続されるＡＤＳＬ回線に他の異なるＡＤＳＬ回線を加えて回線を二重化し、二重化した該ＡＤＳＬ回線と前記コンピュータ間にルータを介装し、該ルータと該異なるＡＤＳＬ回線間にファイアーウォールを設けたことを特徴とするインターネットＶＰＮを用いたネットワークシステムである。
【００１１】
この請求項２記載の発明によれば、前記コンピュータに接続されるメイン回線となるＡＤＳＬ回線がダウンした時、前記ルータによってサブ回線となる他の異なるＡＤＳＬ回線に切替えて該コンピュータに関するネットワークの信頼性を向上させることが可能となる。
【００１２】
更に、請求項３記載の発明は、サーバと、少なくとも１つのコンピュータとが夫々ファイアーウォールを介してＡＤＳＬ回線に接続され、該サーバと該コンピュータとが該ＡＤＳＬ回線を介してインターネットＶＰＮによって通信自在に接続されるインターネットＶＰＮを用いたネットワークシステムに於て、前記サーバに接続されるＡＤＳＬ回線に他の異なるＡＤＳＬ回線を加えて回線を二重化し、二重化した該ＡＤＳＬ回線と前記サーバ間にルータを介装し、該ルータと該異なるＡＤＳＬ回線間にファイアーウォールを設けると共に、少なくとも１つの前記コンピュータに接続されるＡＤＳＬ回線に他の異なるＡＤＳＬ回線を加えて回線を二重化し、二重化した該ＡＤＳＬ回線と前記コンピュータ間にルータを介装し、該ルータと該異なるＡＤＳＬ回線間にファイアーウォールを設けたことを特徴とするインターネットＶＰＮを用いたネットワークシステムである。
【００１３】
この請求項３記載の発明によれば、前記サーバに接続されるメイン回線となるＡＤＳＬ回線がダウンした時、前記サーバに接続される前記ルータによってサブ回線となる他の異なるＡＤＳＬ回線に切替えて該サーバに関するネットワークの信頼性を高めることが可能となると共に、前記コンピュータに接続されるメイン回線となるＡＤＳＬ回線がダウンした時、前記コンピュータに接続されるルータによってサブ回線となる他の異なるＡＤＳＬ回線に切替えて該コンピュータに関するネットワークの信頼性を高めることが可能となる。
【００１４】
【発明の実施の形態】
以下、本発明の一実施の形態を図１に従って詳述する。尚、説明の都合上、従来例と同一構成部分については同一符号を付してその説明を省略する。図に於て、８はインターネットＶＰＮを用いたネットワークシステムであり、該ネットワークシステム８は従来例のネットワークシステム（図３に於て１）に於けるサーバ２に接続されるＡＤＳＬ回線６Ａに該ＡＤＳＬ回線６Ａと異なる他のＢ社のＡＤＳＬ回線９Ａを追加して回線を二重化し、二重化した該ＡＤＳＬ回線６Ａ，９Ａと前記サーバ２間にルータ１０を介装し、該ルータ１０と追加した該ＡＤＳＬ回線９Ａ間にファイアーウォール１１を設けたものである。そして、前記ルータ１１は自動的にメイン回線を選択し、メイン回線がダウンした時、サブ回線に切り替えるＯＳＰＦ（Ｏｐｅｎ  Ｓｈｏｒｔｅｓｔ  Ｐａｔｈ  Ｆｉｒｓｔ）を備えている。
【００１５】
而して、前記ネットワークシステム８は、前記ルータ１０が前記ファイアーウォール４と前記ＡＤＳＬ回線６Ａとに接続される回線をメイン回線１２として選択している時、前記サーバ２は前記ルータ１０、前記ファイアーウォール４、前記ＡＤＳＬ回線６Ａ、インターネットＶＰＮ７、前記ＡＤＳＬ回線６Ｂ、及び、前記ファイアーウォール５Ａを介して前記コンピュータ３Ａに接続自在であり、又、前記ルータ１０、前記ファイアーウォール４、前記ＡＤＳＬ回線６Ａ、前記インターネットＶＰＮ７、前記ＡＤＳＬ回線６Ｃ、及び、前記ファイアーウォール５Ｂを介して前記コンピュータ３Ｂに接続自在である。
【００１６】
そして、前記ＡＤＳＬ回線６Ａがダウンした時、前記ルータ１０は前記ＯＳＰＦによって前記メイン回線１２から、前記ファイアーウォール１１と前記ＡＤＳＬ回線９Ａとに接続されるサブ回線１３に自動的に切り替え、前記サーバ２は前記ルータ１０、前記ファイアーウォール１１、前記ＡＤＳＬ回線９Ａ、前記インターネットＶＰＮ７、前記ＡＤＳＬ回線６Ｂ、及び、前記ファイアーウォール５Ａを介して前記コンピュータ３Ａに接続自在となり、又、前記ルータ１０、前記ファイアーウォール１１、前記ＡＤＳＬ回線９Ａ、前記インターネットＶＰＮ７、前記ＡＤＳＬ回線６Ｃ、及び、前記ファイアーウォール５Ｂを介して前記コンピュータ３Ｂに接続自在となる。
【００１７】
斯くして、前記ネットワークシステム８はメイン回線１２がダウンした時にサブ回線１３に自動的に切り替えることが可能となり、前記サーバ２に関するネットワークの信頼性を向上させることができる。
【００１８】
図２に於て、１４はインターネットＶＰＮを用いた他のネットワークシステムであり、該ネットワークシステム１４は前記ネットワークシステム（図１に於て８）に於ける１つの拠点、例えば、拠点Ａを重要拠点として該拠点Ａの信頼性を向上させるべく、該ネットワークシステムに於けるコンピュータ３Ａに接続されるＡＤＳＬ回線６Ｂに該ＡＤＳＬ回線６Ｂと異なるＢ社のＡＤＳＬ回線９Ｂを追加して回線を二重化し、二重化した該ＡＤＳＬ回線６Ｂ，９Ｂと前記コンピュータ３Ａ間にＯＳＰＦを備えたルータ１５を介装し、該ルータ１５と該ＡＤＳＬ回線９Ｂ間にファイアーウォール１６を設けたものである。
【００１９】
而して、前記ネットワークシステム１４は、前記ルータ１５が前記ファイアーウォール５Ａ、及び、前記ＡＤＳＬ回線６Ｂに接続される回線をメイン回線１７として選択している時、前記サーバ２は前記ルータ１０、前記ファイアーウォール４、前記ＡＤＳＬ回線６Ａ、前記インターネットＶＰＮ７、前記ＡＤＳＬ回線６Ｂ、及び、前記ファイアーウォール５Ａを介して前記コンピュータ３Ａに接続自在であり、又、前記ルータ１０、前記ファイアーウォール４、前記ＡＤＳＬ回線６Ａ、前記インターネットＶＰＮ７、前記ＡＤＳＬ回線６Ｃ、及び、前記ファイアーウォール５Ｂを介して前記コンピュータ３Ｂに接続自在である。
【００２０】
そして、前記ＡＤＳＬ回線６Ｂがダウンした時、前記ルータ１５は前記ＯＳＰＦによって前記メイン回線１７から、前記ファイアーウォール１６と前記ＡＤＳＬ回線９Ｂとに接続されるサブ回線１８に自動的に切り替え、前記サーバ２は前記ルータ１０、前記ファイアーウォール４、前記ＡＤＳＬ回線６Ａ、インターネットＶＰＮ７、前記ＡＤＳＬ回線９Ｂ、及び、前記ファイアーウォール１６を介して前記コンピュータ３Ａに接続自在となる。
【００２１】
斯くして、前記ネットワークシステム１４は前記メイン回線１７がダウンした時に前記サブ回線１８に自動的に切り替えることが可能となり、前記コンピュータ３Ａに関するネットワークの信頼性を向上させることができる。
【００２２】
尚、前記ＡＤＳＬ回線９ＢはＢ社のＡＤＳＬ回線を用いたが、該Ｂ社のＡＤＳＬ回線に代えて、Ａ社以外の他の回線業者のＡＤＳＬ回線を用いることも可能であり、然る時も、同様の効果が期待できる。
【００２３】
又、前述の重要拠点Ａと同様な重要拠点を複数設けることも可能である。
【００２４】
更に、前記ネットワークシステム８、及び、１４に於て、前述の如く、回線を二重化したが、該二重化に代えて三重化以上に多重化することも可能であり、然る時は、コスト高になるデメリットもあるが、ネットワークシステムの信頼性を更に向上させることができる。
【００２５】
尚、本発明は、本発明の精神を逸脱しない限り種々の改変を為すことができ、そして、本発明が該改変されたものに及ぶことは当然である。
【００２６】
【発明の効果】
本発明は上記一実施の形態に詳述したように、請求項１記載の発明は、インターネットＶＰＮを用いたネットワークシステムに於て、サーバに接続されるＡＤＳＬ回線に他の異なるＡＤＳＬ回線を加えて回線を二重化し、二重化した該ＡＤＳＬ回線と前記サーバ間にルータを介装し、該ルータと該異なるＡＤＳＬ回線間にファイアーウォールを設けたので、前記サーバに接続される使用中のＡＤＳＬ回線がダウンした時、前記ルータによって他の異なるＡＤＳＬ回線に切替えることが可能となり、該サーバに関するネットワークシステムの信頼性を向上させることができる。
【００２７】
又、請求項２記載の発明は、インターネットＶＰＮを用いたネットワークシステムに於て、少なくとも１つのコンピュータに接続されるＡＤＳＬ回線に他の異なるＡＤＳＬ回線を加えて回線を二重化し、二重化した該ＡＤＳＬ回線と前記コンピュータ間にルータを介装し、該ルータと該異なるＡＤＳＬ回線間にファイアーウォールを設けたので、前記コンピュータに接続される使用中のＡＤＳＬ回線がダウンした時、前記ルータによって他の異なるＡＤＳＬ回線に切替えることが可能となり、該コンピュータに関するネットワークシステムの信頼性を向上させることができる。
【００２８】
更に、請求項３記載の発明は、インターネットＶＰＮを用いたネットワークシステムに於て、サーバに接続されるＡＤＳＬ回線に他の異なるＡＤＳＬ回線を加えて回線を二重化し、二重化した該ＡＤＳＬ回線と前記サーバ間にルータを介装し、該ルータと該異なるＡＤＳＬ回線間にファイアーウォールを設けると共に、少なくとも１つの前記コンピュータに接続されるＡＤＳＬ回線に他の異なるＡＤＳＬ回線を加えて回線を二重化し、二重化した該ＡＤＳＬ回線と前記コンピュータ間にルータを介装し、該ルータと該異なるＡＤＳＬ回線間にファイアーウォールを設けたので、請求項１記載の発明の効果、及び、請求項２記載の発明の効果が併せて期待できる等、正に著大なる効果を奏する発明である。
【図面の簡単な説明】
【図１】本発明の一実施の形態を示し、ネットワークシステムの説明図。
【図２】本発明の他の実施の形態を示し、ネットワークシステムの説明図。
【図３】従来例を示し、ネットワークシステムの説明図。
【符号の説明】
２                            サーバ
３Ａ，３Ｂ                    コンピュータ
４，５Ａ，５Ｂ                ファイアーウォール
６Ａ，６Ｂ，６Ｃ，９Ａ，９Ｂ  ＡＤＳＬ回線
７                            インターネットＶＰＮ
８，１４                      ネットワークシステム
１０，１５                      ルータ
１１，１６                      ファイアーウォール
【図１】
2004356885.tif 000003
【図２】
2004356885.tif 000004
【図３】
2004356885.tif 000005